(57)【要約】【課題】新たな光源を設けることなく既存の構成を活用して装置本体から突出させて設けた傾倒防止部材を照明する。【解決手段】本発明は、少なくとも１つの光源１８を具備し、原稿を読み取るための読み取り装置１２を配設した装置本体１１と、装置本体１１の傾倒を防止するための傾倒防止部材２２，２２と、光源１８を点灯させて、傾倒防止部材２２，２２を照明するための傾倒防止部材照明手段７４ａを有している。【選択図】図３
2020154065.tif 000002
【特許請求の範囲】
【請求項１】
少なくとも１つの光源を具備し、原稿を読み取るための読み取り装置を配設した装置本体と、
前記装置本体の傾倒を防止するための傾倒防止部材と、
前記光源を点灯させて、前記傾倒防止部材を照明するための傾倒防止部材照明手段とを有することを特徴とする画像形成装置。
【請求項２】
前記光源から発せられた光を、傾倒防止部材に向けて反射するための光反射リフレクタを読み取り装置に配設したことを特徴とする請求項１に記載の画像形成装置。
【請求項３】
読み取り装置に載置された原稿を固定するための原稿固定部を有し、光源から発せられた光を、傾倒防止部材に向けて反射するための光反射リフレクタを前記原稿固定部に配設したことを特徴とする請求項１又は２に記載の画像形成装置。
【請求項４】
装置本体近辺の明暗を検知するための明暗検知センサと、
前記装置本体近辺の明暗が既定の暗さになったか否かを判定する明暗判定手段とを有し、
前記装置本体近辺の明暗が既定の暗さになったと判定したときには、前記傾倒防止部材照明手段により光源を点灯することを特徴とする請求項１〜３のいずれか１項に記載の画像形成装置。
【請求項５】
前記装置本体近辺の所定の範囲に存在する人を検知するための人検知手段と、
人を検知したか否かを判定する人検知判定手段とを有し、
前記装置本体近辺の所定の範囲に人が存在すると判定したときには、前記傾倒防止部材照明手段により光源を点灯することを特徴とする請求項１〜４のいずれか１項に記載の画像形成装置。
【請求項６】
各部を操作するための操作部と、
前記操作部が操作されたか否かを判定するための操作判定手段とを有し、
操作部が操作されたと判定したときには、傾倒防止部材照明手段により光源を点灯することを特徴とする請求項１〜５のいずれか１項に記載の画像形成装置。
【請求項７】
蓄電装置と、
外部からの給電の有無を判定する給電判定手段と、
外部からの給電がないと判定したときには、前記蓄電装置からの給電に切り替える電源切り替え手段とを有することを特徴とする請求項１〜６のいずれか１項に記載の画像形成装置。
【請求項８】
前記傾倒防止部材照明手段は、互いに異なる態様にして光源を点滅させることを特徴とする請求項１〜７のいずれか１項に記載の画像形成装置。
【請求項９】
前記光反射リフレクタが開閉自在に支持されているとともに、
光源の点灯又は消灯を検知する点灯消灯検知手段と、
検知した光源の点又は消灯に対応して光反射リフレクタを開閉駆動するリフレクタ開閉駆動手段とを設けたことを特徴とする請求項２〜８のいずれか１項に記載の画像形成装置。
【発明の詳細な説明】
【技術分野】
【０００１】
本発明は、画像形成装置に関する。
【背景技術】
【０００２】
従来、この種の画像形成装置として、その装置自体が不安定な傾斜姿勢になったときに、その傾倒を防止するための傾倒防止部材を、その装置本体から外方に突出させて設けた構成のものがある。
【０００３】
図１５は、傾倒防止部材を備えた従来の画像形成装置の外観斜視図、図１６は、画像形成装置に配設された読み取り装置の概略構成を示す説明図である。
図１５に示す従来の画像形成装置１０は、装置本体１１の上部に読み取り装置１２を配設し、また、その装置本体１１内に給紙部１３，１４，１５を上下多段にして及び側部にそれぞれ配設したものである。
【０００４】
読み取り装置１２は、コンタクトガラス１６の上面側に原稿固定部１７が開閉自在にして、また、下面側に光源（ランプ）１８、センサ１９、レンズ２０、撮像素子２１等が適宜配設されたものである。これにより、用紙（図示しない）に記録されている画像を光学的に読み取り、画像情報を生成している。
【０００５】
上記した装置本体１１の底部両側には、不安定な傾斜姿勢となった装置本体１１の傾倒を防止するための一対の傾倒防止部材２２，２２（以下、単に「傾倒防止部材２２，２２」という。）が操作面側に突出して形成されている。
【０００６】
上記した傾倒防止部材２２，２２は、装置本体１１の傾倒を防止するという観点においては有用ではあるが、暗がりにおいては、装置本体１１から突出している傾倒防止部材２２，２２に躓き、ユーザが転倒する蓋然性が高い。
【０００７】
ところで、特許文献１に開示された構成の画像形成装置がある。
特許文献１に開示された画像形成装置は、読み取り部に設けられたＣＣＤセンサを光量検知手段として用い、室内が消灯したと判断したときに、上記読み取り部に配置されている光源や操作パネルを一定時間点灯させるものである。
【０００８】
これにより、室内灯の消灯時の暗闇における歩行中の不安感を取り除くとともに転倒等の事故を未然に防止しようとしている。
【発明の概要】
【発明が解決しようとする課題】
【０００９】
しかしながら、上記特許文献１に開示された画像形成装置は、消灯後に読み取り部の光源や操作パネルを点灯させてはいるが、画像形成装置の足元を照明するものではない。
従って、傾倒防止部材を有する画像形成装置においては、ユーザが傾倒防止部材に躓くという課題が未解決のままである。
【００１０】
そこで本発明は、新たな光源を設けることなく既存の構成を活用し、装置本体から突出させて設けた傾倒防止部材を照明することができる画像形成装置の提供を目的としている。
【課題を解決するための手段】
【００１１】
上記課題を解決するための本発明は、少なくとも１つの光源を具備し、原稿を読み取るための読み取り装置を配設した装置本体と、この装置本体の傾倒を防止するための傾倒防止部材と、前記光源を点灯させて、前記傾倒防止部材を照明するための傾倒防止部材照明手段を有している。
【発明の効果】
【００１２】
本発明によれば、新たな光源を設けることなく既存の構成を活用して装置本体から突出させて設けた傾倒防止部材を照明することができる。
【図面の簡単な説明】
【００１３】
【図１】第一の実施形態に係る画像形成装置の外観を示す外観斜視図である。
【図２】第一の実施形態に係る画像形成装置の読み取り装置の概略構成を示す説明図である。
【図３】第一の実施形態に係る画像形成装置の電気的な構成を示すブロック図である。
【図４】第一の例に係る光源の点灯・消燈動作を示すフローチャートである。
【図５】第二の例に係る光源の点灯・消燈動作を示すフローチャートである。
【図６】第三の例に係る光源の点灯・消燈動作を示すフローチャートである。
【図７】第四の例に係る光源の点灯・消燈動作を示すフローチャートである。
【図８】第五の例に係る光源の点灯・点滅・消燈動作を示すフローチャートである。
【図９】第六の例に係る光源の点灯・点滅・消燈動作を示すフローチャートである。
【図１０】第七の例に係る光源の点灯・消燈動作を示すフローチャートである。
【図１１】第八の例に係る光源の点灯・消燈動作を示すフローチャートである。
【図１２】第二の実施形態に係る画像形成装置の外観を示す外観斜視図である。
【図１３】第二の実施形態に係る画像形成装置の読み取り装置の概略構成を示す説明図である。
【図１４】第三の実施形態に係る画像形成装置の外観を示す外観斜視図である。
【図１５】傾倒防止部材を備えた従来の画像形成装置の外観斜視図である。
【図１６】従来の画像形成装置に配設された読み取り装置の概略構成を示す説明図である。
【発明を実施するための形態】
【００１４】
以下に、本発明の一実施形態に係る画像形成装置について、図面を参照して説明する。図１は、第一の実施形態に係る画像形成装置の外観を示す外観斜視図、図２は、第一の実施形態に係る画像形成装置の読み取り装置の概略構成を示す説明図、図３は、第一の実施形態に係る画像形成装置の電気的な構成を示すブロック図である。
なお、図１〜３においては、上述したものと同一又は同等のものには、それらに同一の符号を付して重複した説明を省略し、相違点についてのみ説明する。
【００１５】
図１に示す第一の実施形態に係る画像形成装置Ａは、装置本体１１の上部に配設した読み取り装置（以下、「スキャナ」という。）１２に、光反射用リフレクタ５０を配設した構成のものである。
【００１６】
光反射用リフレクタ（以下、単に「リフレクタ」という。）５０は、光源１８から発せられた光α１を、傾倒防止部材２２，２２に向けて反射するためのものである。
【００１７】
本実施形態においては、スキャナ１２の光源１８から発せられた光α１により、傾倒防止部材２２，２２を中心とした所定の範囲α２を照明するように反射させている。
【００１８】
本実施形態において示すリフレクタ５０は、一定の角度にしてスキャナ１２の正面側壁１２ａに固定されているものを示すが、後述するように、リフレクタ開閉駆動部６５及びリフレクタ開閉部６９によって開閉駆動する構成にしてもよい。
【００１９】
図１，２に示すリフレクタ５０は、傾倒防止部材２２，２２が設けられた装置本体１１の正面（操作面）壁１２ａ側に光が反射されるように配設されている。
すなわち、リフレクタ５０は、傾倒防止部材２２，２２を中心とした所定の範囲α２を照明すればよいので、傾倒防止部材２２，２２が配設されている面側に反射されるように設置すればよい。例えば、傾倒防止部材２２，２２が装置本体１１の図示右側面に設置される場合は、リフレクタ５０も右側面に設置すればよい。
【００２０】
図３に示すように、スキャナ１２は、光源照射駆動部６０、操作部６１、原稿固定部開閉駆動部６２、明暗検知センサ６３、人検知センサ６４、距離測定センサ７５、リフレクタ開閉駆動部６５及び蓄電装置６６が制御部７０の入出力ポートに適宜接続された構成になっている。
【００２１】
制御部７０は、所要のプログラムが記録されたＲＯＭ７１、ＲＡＭ７２を有するメモリ７３をＣPＵ７４に接続した構成のものである。
光源照射駆動部６０は、制御部７０から出力される駆動信号により、その光源照射駆動部６０の出力ポートに接続された光源照射部６７を介して光源１８の点灯、消灯及び点滅等を行うようにしている。
【００２２】
リフレクタ開閉駆動部６５は、制御部７０から出力される駆動信号により、そのリフレクタ開閉駆動部６５の出力ポートに接続されたリフレクタ開閉部６９を介してリフレクタ５０の開閉駆動を行えるようにしている。
【００２３】
原稿固定部開閉駆動部６２は、制御部７０から出力される駆動信号により、その原稿固定部開閉駆動部６２の出力ポートに接続された原稿固定部開閉部６８を介して原稿固定部１７の開閉駆動を行うようにしている。
【００２４】
明暗検知センサ６３は、本装置Ａ近辺の明暗を検知するためのものである。この明暗検知センサ６３は、１又は２以上のものを用いることができ、印刷動作等により影響を受けない位置に配設している。例えば、装置本体１１の上方位置や操作部６１上等である。
また、明暗検知センサ６３を複数設けた場合、一つの明暗検知センサの検知結果に基づく判定とせず、それら複数のものの検知結果に基づく判定を行うとよい。これにより、検知結果の信頼性を向上させられる。
【００２５】
人検知センサ６４は、本装置Ａ近辺の所定の範囲に存在する人を検知するためのものである。
この人検知センサ６４は、１又は２以上のものを用いることができ、誤検知が生じない装置本体１１の正面側上部位置等に配設している。また、人検知センサ６４を複数設ける場合、一つの人検知センサ６４の検知結果に基づく判定とせず、それら複数のものの検知結果に基づく判定を行うようにするとよい。これにより、検知結果の信頼性を向上させられる。さらに、明暗検知センサ６３と人検知センサ６４の各検知結果に基づく判定を行ってもよい。
【００２６】
距離測定センサ７５は、本装置Ａと本装置Ａ近辺に存在する人との距離を測定するためのものである。
【００２７】
蓄電装置６６は、非常時における給電を行うための例えばバッテリであり、非常時において外部電源から切り替えることにより、例えば停電時であっても光源１８の点灯状態を維持できるようになる。
なお、蓄電装置６６は、装置本体１１に配置することに限るものではなく、装置本体１１外に別体にして配置してもよい。
【００２８】
ＣＰＵ７４は、ＲＯＭ７１に記録されている所定のプログラムの実行により次のような機能を実現する。
本実施形態においては、上記ＲＯＭ７１には所定のプログラムが記憶されている他、光源１８の互いに異なる点滅態様が各検知結果に対応して記憶されている。
【００２９】
・光源１８を点灯させて、傾倒防止部材２２，２２を照明する機能。この機能を「傾倒防止部材照明手段７４ａ」という。
具体的には、光源照射駆動部６０及び光源照射部６７を駆動して光源１８を点灯している。
さらに、本実施形態においては、各検知結果に対応して、光源１８を互いに異なる態様にして点滅させている。
【００３０】
・装置本体１１近辺の明暗が既定の暗さになったか否かを判定する明暗判定機能。この機能を「明暗判定手段７４ｂ」という。
上記した傾倒防止部材照明手段７４ａは、装置本体１１近辺の明暗が既定の暗さになったと判定したときに光源１８を点灯する。
【００３１】
・人を検知したか否かを判定する機能。この機能を「人検知判定手段７４ｃ」という。
上記した傾倒防止部材照明手段７４ａは、装置本体１１近辺の所定の範囲に人が存在すると判定したときには光源１８を点灯する。
【００３２】
・操作部６１が操作されたか否かを判定する機能。この機能を「操作判定手段７４ｄ」という。
「操作部６１を操作」することは、いずれかのスイッチ（図示しない）を押下することに加え、単に指等を接触する動作を含む。
傾倒防止部材照明手段７４ａは、操作部６１が操作されたと判定したときに光源１８を消灯するようにする。
【００３３】
・外部からの給電の有無を判定する機能。この機能を「給電判定手段７４ｅ」という。
・給電判定手段７４ｅにより、外部からの給電がないと判定したときには、前記蓄電装置６６からの給電に切り替える機能。この機能を「電源切り替え手段７４ｆ」という。
【００３４】
・光源１８の点灯又は消灯を検知する機能。この機能を「点灯消灯検知手段７４ｇ」という。
・検知した光源１８の点灯又は消灯に対応してリフレクタ５０を開閉駆動する機能。この機能を「リフレクタ開閉駆動手段７４ｈ」という。
この場合、リフレクタ５０が開閉自在に支持された構成になっている。
【００３５】
図４は、第一の例に係る光源の点灯・消燈動作を示すフローチャートである。本例においては、明暗検知センサ６３により検知した明暗に基づく光源の点灯・消燈動作を示している。
ステップ１（図中、「Ｓａ１」と略記する。）：明暗検知センサ６３によって本装置Ａ近辺の明暗を検知して、ステップ２に進む。
【００３６】
ステップ２：検知された本装置Ａ近辺の明暗が既定した暗さ以下になったか否かを判定し、その明暗が既定した暗さ以下になったと判定されたときにはステップ３に進み、そうでなければステップ２を繰り返す。
【００３７】
ステップ３：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明する。
【００３８】
ステップ４：検知された本装置Ａ近辺の明暗が既定した明るさ以上か否かを判定して、その明暗が既定した明るさ以上になったと判定したときにはステップ５に進み、そうでなければステップ４を繰り返す。
ステップ５：スキャナ１２内の光源１８を消灯して、処理を終了する。
【００３９】
以上のステップにより、本装置Ａ近辺が暗くなってユーザが傾倒防止部材２２，２２を視認しにくくなったときには、光源１８を点灯させて傾倒防止部材２２，２２を視認しやすくできる。これにより、ユーザが傾倒防止部材２２，２２に躓いて転倒することを防止できる。
【００４０】
図５は、第二の例に係る光源の点灯・消燈動作を示すフローチャートである。本例においては、人検知センサにより検知した人の有無に基づく光源の点灯・消燈動作を示している。
ステップ１（図中、「Ｓｂ１」と略記する。）：人検知センサ６４によって本装置Ａ近辺の所定の範囲内に存在する人を検知して、ステップ２に進む。
【００４１】
ステップ２：人検知センサ６４によって人が検知されたか否かを判定し、人が検知されたと判定されたときにはステップ３に進み、そうでなければステップ２を繰り返す。
【００４２】
ステップ３：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明する。
【００４３】
ステップ４：人が検知されたか否かを判定し、人が検知されないと判定されたときにはステップ５に進み、そうでなければステップ４を繰り返す。
ステップ５：スキャナ１２内の光源１８を消灯して、処理を終了する。
【００４４】
以上のステップにより、人検知センサ６４によって本装置Ａ近辺の所定の範囲内に人が居るときには、光源１８を点灯させて傾倒防止部材２２，２２を視認しやすくできる。これにより、ユーザが傾倒防止部材２２，２２に躓いて転倒することを防止できる。
【００４５】
図６は、第三の例に係る光源の点灯・消燈動作を示すフローチャートである。本例においては、明暗検知センサ及び操作部の操作感知に基づく光源の点灯・消燈動作を示している。
ステップ１（図中、「Ｓｃ１」と略記する。）：明暗検知センサ６３によって本装置Ａ近辺の明暗を検知して、ステップ２に進む。
【００４６】
ステップ２：検知された明暗が既定した暗さ以下になったか否かを判定し、その明暗が既定した暗さ以下になったと判定されたときにはステップ３に進み、そうでなければステップ２を繰り返す。
【００４７】
ステップ３：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明する。
【００４８】
ステップ４：ユーザが操作部６１を操作したか否かを判定し、ユーザが操作部６１を操作したと判定したときにはステップ５に進み、そうでなければステップ４を繰り返す。
ステップ５：スキャナ１２内の光源１８を消灯して、処理を終了する。
【００４９】
以上のステップにより、本装置Ａ近辺が暗くなってユーザが傾倒防止部材２２，２２を視認しにくくなったときには、光源１８を点灯させて傾倒防止部材２２，２２を視認しやすくできる。これにより、ユーザが傾倒防止部材２２，２２に躓いて転倒することを防止できる。
また、ユーザが操作部６１を操作することにより光源１８を消灯しているので、光源１８を消灯するという煩わしい動作を行う必要がない。
【００５０】
図７は、第四の例に係る光源の点灯・消燈動作を示すフローチャートである。本例においては、明暗検知センサによる明暗の検知及び外部からの給電の検知に基づく光源の点灯・消燈動作を示している。
【００５１】
ステップ１（図中、「Ｓｄ１」と略記する。）：給電状態を検知してステップ２に進む。
ステップ２：外部から給電されているか否かを判定し、給電されていると判定されればステップ３に進み、そうでなければステップ７に進む。
ステップ３：通常動作を行って、ステップ４に進む。
ステップ４：明暗検知センサ６３によって本装置Ａ近辺の明暗を検知して、ステップ５に進む。
【００５２】
ステップ５：検知された明暗が既定した暗さ以下になったか否かを判定し、その明暗が既定した暗さ以下になったと判定されたときにはステップ６に進み、そうでなければステップ５を繰り返す。
【００５３】
ステップ６：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明する。
【００５４】
ステップ７：蓄電装置６６による給電を行う。本実施形態においては、給電は光源１８の照射制御にのみ使用するようにしている（停電動作）。
ステップ８：明暗検知センサ６３によって本装置Ａ近辺の明暗を検知して、ステップ９に進む。
ステップ９：検知された明暗が既定した暗さ以下になったか否かを判定し、その明暗が既定した暗さ以下になったと判定されたときにはステップ１０に進み、そうでなければステップ９を繰り返す。
ステップ１０：スキャナ１２内の光源１８を点灯して、処理を終了する。
【００５５】
以上のステップにより、本装置Ａ近辺が暗くなってユーザが傾倒防止部材２２，２２を視認しにくくなったときには、光源１８を点灯させて傾倒防止部材２２，２２を視認しやすくできる。これにより、ユーザが傾倒防止部材２２，２２に躓いて転倒することを防止できる。
【００５６】
また、例えば停電時等の緊急時においては、蓄電装置６６によって給電される。このため、たとえ外部からの給電が行われないときにも、光源１８を点灯させることができ、ユーザが傾倒防止部材２２，２２に躓いて転倒することを防止できる。
【００５７】
図８は、第五の例に係る光源の点灯・点滅・消燈動作を示すフローチャートである。本例においては、正常終了の検知、明暗検知センサによる明暗の検知及び給電の有無の検知に基づく光源の点灯・点滅・消燈動作を示している。
【００５８】
ステップ１（図中、「Ｓｅ１」と略記する。）：本装置Ａの動作が正常に終了しているか否かを判定し、正常に終了していると判定されればステップ２に進み、そうでなければステップ６に進む。
【００５９】
ステップ２：通常動作を行ってステップ３に進む。
ステップ３：明暗検知センサ６３によって本装置Ａ近辺の明暗を検知して、ステップ４に進む。
【００６０】
ステップ４：検知された明暗が既定した暗さ以下になったか否かを判定し、その明暗が既定した暗さ以下になったと判定されたときにはステップ５に進み、そうでなければステップ４を繰り返す。
【００６１】
ステップ５：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明して、処理を終了する。
【００６２】
ステップ６：外部から給電されているか否かを判定し、外部から給電されていると判定されればステップ７に進み、そうでなければステップ１１に進む。
ステップ７：通常動作を行って、ステップ８に進む。
ステップ８：明暗検知センサ６３によって本装置Ａ近辺の明暗を検知して、ステップ９に進む。
【００６３】
ステップ９：検知された明暗が既定した暗さ以下になったか否かを判定し、その明暗が既定した暗さ以下になったと判定されたときにはステップ１０に進み、そうでなければステップ９を繰り返す。
【００６４】
ステップ１０：スキャナ１２内の光源１８を点灯させる。点灯された光源１８から照射された光はリフレクタ５０によって反射されて傾倒防止部材２２，２２及びその傾倒防止部材２２，２２を中心とした所定の範囲α２を照明する。
【００６５】
ステップ１１：停電動作を行ってステップ１２に進む。
ステップ１２：蓄電装置６６による給電を行う。本実施形態においては、給電は光源１８の照射制御にのみ使用するようにしている。
ステップ１３：明暗検知センサ６３によって本装置Ａ近辺の明暗を検知して、ステップ１４に進む。
ステップ１４：検知された明暗が既定した暗さ以下になったか否かを判定し、その明暗が既定した暗さ以下になったと判定されたときにはステップ１５に進み、そうでなければステップ１４を繰り返す。
【００６６】
ステップ１５：スキャナ１２内の光源１８を点滅態様にして点灯させて、処理を終了する。
点滅態様は、状況に応じて変化させる。例えば、停電等の緊急時に点滅させることにより、緊急時であることをユーザに告知することができる。また、点滅態様とすることにより省エネ化を図ることもできる。
【００６７】
また、距離測定センサ７５によって測定した人との距離により、ユーザの本装置からの距離に応じて点滅速度を変化させるようにしてもよい。例えば、遠距離のときには低速点滅、近距離のときには高速点滅等のようにである。これにより、本装置Ａとの距離感を感覚的に捉えることができ、利便性を向上させられる。
【００６８】
以上のステップにより、ユーザが傾倒防止部材２２  ，２２に躓いて転倒することを防止できることに加え、蓄電装置６６により給電されるため、停電時であっても光源１８を点灯させることができる。これにより、停電時等の緊急時においてもユーザが傾倒防止部材２２，２２に躓いて転倒することを防止できる。
【００６９】
なお、光源１８は必要に応じて、前記図１６に示すキャリッジ移動方向γに対し移動させながら点灯点滅させるようにしてもよい。また、光源１８の光量を変化させて状況を告知するようにしてもよい。
【００７０】
図９は、第六の例に係る光源の点灯・点滅・消燈動作を示すフローチャートである。本例においては、明暗検知センサによる明暗の検知、給電の有無の検知及び本装置Ａと人との距離の測定結果に基づく光源の点灯・点滅・消燈動作を示している。
【００７１】
ステップ１（図中、「Ｓｆ１」と略記する。）：停電動作を行ってステップ２に進む。
ステップ２：蓄電装置６６による給電を行う。本実施形態においては、給電は光源１８の照射制御にのみ使用するようにしている。
【００７２】
ステップ３：明暗検知センサ６３によって本装置Ａ近辺の明暗を検知して、ステップ４に進む。
ステップ４：検知された明暗が既定した暗さ以下になったか否かを判定し、その明暗が既定した暗さ以下になったと判定されたときにはステップ５に進み、そうでなければステップ４を繰り返す。
【００７３】
ステップ５：光源１８を点滅態様にして点灯する。
ステップ６：本装置Ａからユーザまでの距離を測定する。
ステップ７：ユーザまで距離が近距離であると判定されればステップ８に進み、そうでなければステップ９に進む。近距離であるか遠距離であるかの基準は、予めＲОＭ７１に記憶しておく。
ステップ８：光源１８を比較的早く点滅させる態様にして、処理を終了する。
ステップ９：光源１８を比較的遅く点滅させる態様にして、処理を終了する。
【００７４】
以上のステップにより、ユーザが傾倒防止部材２２  ，２２に躓いて転倒することを防止できる。また、本装置Ａからユーザまでの距離によって点滅態様を変化させているので、停電等の緊急時においても、本装置Ａからユーザまでの距離を直感的に告知できるので、利便性を向上させられる。
【００７５】
図１０は、第七の例に係る光源の点灯・消燈動作を示すフローチャートである。本例においては、明暗の検知及び操作部の操作検知に基づく光源の点灯・消灯、リフレクタ５０の開閉動作のタイミングを示している。
【００７６】
上述した各例において示すリフレクタ５０は、これを開閉駆動しない場合について説明したが、本例においては、リフレクタ５０を開閉自在に支持しているとともに、リフレクタ開閉駆動部６５とリフレクタ開閉部６９によって開閉駆動する構成にしている。
【００７７】
ステップ１（図中、「Ｓｇ１」と略記する。）：明暗検知センサ６３によって本装置Ａ近辺の明暗を検知して、ステップ２に進む。
ステップ２：検知された明暗が既定した暗さ以下になったか否かを判定し、その明暗が既定した暗さ以下になったと判定されたときにはステップ３に進み、そうでなければステップ２を繰り返す。
【００７８】
ステップ３：リフレクタ５０を開駆動してステップ４に進む。
ステップ４：光源１８を点灯させてステップ５に進む。
ステップ５：ユーザが操作部６１を操作したか否かを判定し、ユーザが操作部６１を操作したと判定したときにはステップ６に進み、そうでなければステップ５を繰り返す。
【００７９】
ステップ６：光源１８を消灯させてステップ７に進む。
ステップ７：リフレクタ５０を閉駆動して処理を終了する。
以上のステップにより、必要のないときにはリフレクタ５０を閉状態にしておけるので、操作の邪魔になることがない。
【００８０】
図１１は、第八の例に係る光源の点灯・消燈動作を示すフローチャートである。本例においては、明暗の検知及び点灯後の経過時間の計測に基づく光源の点灯・消燈動作を示している。
【００８１】
ステップ１（図中、「Ｓｈ１」と略記する。）：明暗検知センサ６３によって本装置Ａ近辺の明暗を検知して、ステップ２に進む。
ステップ２：検知された明暗が既定した暗さ以下になったか否かを判定し、その明暗が既定した暗さ以下になったと判定されたときにはステップ３に進み、そうでなければステップ２を繰り返す。
【００８２】
ステップ３：光源１８を点灯させてステップ４に進む。
ステップ４：光源１８を点灯させた後の経過時間が既定時間に達したか否かを判定して、経過時間が既定時間に達したと判定したときにはステップ５に進み、そうでなければステップ４を繰り返す。
ステップ５：光源１８を消灯させて処理を終了する。
以上のステップにより、光源１８を点灯させた後の経過時間によって光源１８を消灯しているので、光源１８を消灯するという動作を必要としない。
【００８３】
図１２は、第二の実施形態に係る画像形成装置の外観を示す外観斜視図、図１３は、第二の実施形態に係る画像形成装置の読み取り装置の概略構成を示す説明図である。なお、図１２，１３において、上記図１等において説明したと同一又は同等のものについて同一の符号を付して説明を省略し、相違点について説明する。
【００８４】
図１２に示す画像形成装置Ａは、スキャナ１２の上面側に配設された原稿固定部１７にリフレクタ５１を配設した構成のものである。
すなわち、原稿固定部１７の開放縁部１７ａに沿ってリフレクタ５１を配設している。
これにより、原稿固定部１７に配設したリフレクタ５１は、光源１８から発せられた光を反射させて傾倒防止部材２２，２２及びその周囲を照明することができる。これにより、ユーザが傾倒防止部材２２  ，２２に躓いて転倒することを防止できる。
【００８５】
なお、図１３には、リフレクタ５１の外装部（カバー）に反射素材５２を配設した構成のものを示しているが、外装部に反射材を塗布した一体構造にしてもよい。
【００８６】
図１４は、第三の実施形態に係る画像形成装置の外観を示す外観斜視図である。なお、図１４においても、上記図１等において説明したと同一又は同等のものについて同一の符号を付して説明を省略し、相違点について説明する。
【００８７】
図１４に示す画像形成装置Ａは、スキャナ１２の上面側に配設された原稿固定部１７にリフレクタ５０を配設した点において、図１２に示すものと同等のものである。
本実施形態においては、スキャナ１２の一隅部に、原稿固定部１７に向けてアクチュエータ８０を突出させて配設している。
アクチュエータ８０は、前述した原稿固定部開閉駆動部６２と原稿固定部開閉部６８によって、原稿固定部１７に当接するアクチュエータ８０を昇降駆動することにより、原稿固定部１７を開閉するようにしている。
【００８８】
この構成によれば、原稿固定部１７が閉状態となっていても、アクチュエータ８０によって原稿固定部１７を開駆動することができる。
これにより、光源１８から発せられた光をリフレクタ５０によって反射させて傾倒防止部材２２，２２及びその周囲を照明することができる。
【００８９】
すなわち、構造によっては原稿固定部１７が閉じていては都合が悪い場合がある。この場合、原稿固定部１７は開状態が好ましく、かつ通常未使用時の原稿固定部１７は閉状態が好ましい。このため、自動的に原稿固定部１７を開閉駆動することが必要になるのである。
【００９０】
・上述した実施形態においては、光源の点灯・点滅・消燈動作を個別のフローチャートとして例示しているが、それらを適宜に組み合わせた動作内容としてもよいことは勿論である。
【符号の説明】
【００９１】
１１      装置本体
１２      スキャナ
１６      コンタクトガラス
１７ａ    開放縁部
１８      光源
１９      センサ
２２      傾倒防止部材
５０      光反射リフレクタ
５１      光反射リフレクタ
６０      光源照射駆動部
６２      原稿固定部開閉駆動部
６５      リフレクタ開閉駆動部
６７      光源照射部
６８      原稿固定部開閉部
６９      リフレクタ開閉部
７１      ＲОＭ
７３      メモリ
７４ａ    傾倒防止部材照明手段
７４ｂ    明暗判定手段
７４ｃ    人検知判定手段
７４ｄ    給電判定手段
７４ｅ    電源切り替え手段
７５      距離測定センサ
８０      アクチュエータ
Ａ        画像形成装置
α１      光
α２      所定の範囲
【先行技術文献】
【特許文献】
【００９２】
【特許文献１】特開２００６‐１６３２６２号公報
【図１】
2020154065.tif 000003
【図２】
2020154065.tif 000004
【図３】
2020154065.tif 000005
【図４】
2020154065.tif 000006
【図５】
2020154065.tif 000007
【図６】
2020154065.tif 000008
【図７】
2020154065.tif 000009
【図８】
2020154065.tif 000010
【図９】
2020154065.tif 000011
【図１０】
2020154065.tif 000012
【図１１】
2020154065.tif 000013
【図１２】
2020154065.tif 000014
【図１３】
2020154065.tif 000015
【図１４】
2020154065.tif 000016
【図１５】
2020154065.tif 000017
【図１６】
2020154065.tif 000018